(57)【要約】      （修正有）【課題】標準のウォールキャビネットを破損させることなく壁面に建築躯体の梁を避けて設置できる梁対応型のウォールキャビネットへの変更方法を提供する。【解決手段】標準のウォールキャビネットに対し、左側板、右側板７、天板、背板の一部および上方側の横桟を切除して、標準のウォールキャビネットの背後側上部に建築躯体の梁Ｈが収まる空間を形成する工程を実行した後、ウォールキャビネットの切除面を覆うカバーを取付けるカバー取付工程と、ウォールキャビネットを建築躯体の壁面Ｗにネジ固定する際のベースとなる支持具３１を、背板と左側板、右側板７、もしくはカバーとによって形成されるコーナー部に配置し、支持具をウォールキャビネットの左右の端部に固定する、支持具固定工程と、建築躯体の壁面と背板との隙間を埋めるスペーサー４１を設けるスペーサー配設工程とを実行する。【選択図】図１２
2016050396.tif 000002
【特許請求の範囲】
【請求項１】
左側板、右側板、底板、天板、および背板を有し、前記背板よりも背後において前記左側板と右側板とにダボ組みされてなる２本の横桟を上下方向に離して配設した標準のウォールキャビネットに対し、
前記左側板、右側板、天板、背板の一部および上方側の前記横桟を切除して、前記標準のウォールキャビネットの背後側上部に建築躯体の梁が収まる空間を形成する工程を実行した後に、
前記切除により形成されたウォールキャビネットの切除面を覆うカバーを前記ウォールキャビネットに取付けるカバー取付工程と、
前記ウォールキャビネットを建築躯体の壁面にネジ固定する際のネジ止めのベースとなる支持具を、前記背板と前記左側板、右側板、もしくはカバーとによって形成されるコーナー部に配置すると共に、前記支持具を前記ウォールキャビネットの左右の端部において、前記左側板および右側板あるいは前記カバーの前記背板よりも前方側に固定する支持具固定工程と、
前記背板の背後かつ前記支持具の奥方向に、前記建築躯体の壁面と前記背板との隙間を埋めるスペーサーを設けるスペーサー配設工程と、
を実行することにより、標準のウォールキャビネットを梁対応型のウォールキャビネットに変更する方法。
【請求項２】
前記スペーサーは、前記ウォールキャビネットに対して、接着剤もしくは両面テープによって仮固定されることを特徴とする、請求項１に記載の標準のウォールキャビネットを梁対応型のウォールキャビネットに変更する方法。
【請求項３】
前記カバー取付工程を、前記支持具固定工程よりも先に実行することを特徴とする、請求項１〜２のいずれか１項に記載の標準のウォールキャビネットを梁対応型のウォールキャビネットに変更する方法。
【請求項４】
前記支持具には、ウォールキャビネットを建築躯体の壁面にネジ固定するためのネジを挿入する挿入孔が設けられており、
前記支持具固定工程の実行後、
前記背板の前記挿入孔の中心軸線と交わる部分に前記ネジを通過させるネジ通過孔をあけ、前記ネジ通過孔を覆うようにして前記背板の裏側に前記スペーサーを設けるようにして前記スペーサー配設工程を実行することを特徴とする、請求項１〜３のいずれか１項に記載の標準のウォールキャビネットを梁対応型のウォールキャビネットに変更する方法。
【発明の詳細な説明】
【技術分野】
【０００１】
本発明は、標準のウォールキャビネットを梁対応型のウォールキャビネットに変更する方法に関する。
【背景技術】
【０００２】
近年、リフォームの需要が高まっており、システムキッチンのリフォームも盛んに行われている。しかし、リフォームによりキッチンのウォールキャビネットを新たなものに取り換える場合、キッチンでは、ウォールキャビネットやキッチンフード等が横並びに天井近傍の壁面に設置されている現場が多く、梁の有無はこれらを壁面から外さないと確認できない場合がある。このように、事前に梁の有無が確認できないため、梁があるにも拘わらず、誤って梁のない建築躯体に適した標準の（梁非対応型の）ウォールキャビネットが注文されてしまう事態が発生している。
【０００３】
したがって、こうした状況に対応するために、キッチン用のウォールキャビネットにおいては、例えば、特許文献１に記載のように、梁のない建築躯体に適したウォールキャビネットを梁の有無に応じて現場で加工できるようにすることが望ましい。具体的には、現場にて梁に合わせて箱状のウォールキャビネットの背側上部を切除し、その後、切除部を覆う梁型のカバーを取り付けることで、梁を避けて高い位置に設置できるようにしたウォールキャビネット（梁対応型のウォールキャビネット）へと変更できるようにすることが望ましい。
【先行技術文献】
【特許文献】
【０００４】
【特許文献１】特開２００１−１５２６５７号公報
【発明の概要】
【発明が解決しようとする課題】
【０００５】
ここで、通常のキッチン用ウォールキャビネットは、剛性を確保するために、左右の側板や底板、天板は背板に比べて強度の高い板（例えば、背板に比べて厚みが厚いなど）で構成されており、左右の側板は、底板や天板により連結され、さらに背板裏側で左右の側板の上端側と下端側をそれぞれ横桟で接続し、横桟をネジで壁面に固定することでウォールキャビネットが壁面に固定されるよう構成されている。なお、横桟は、背板と壁面との間の隙間を埋めるスペーサーの役割も果たしている。こうした従来のウォールキャビネットに対し、特許文献１に記載されているような、梁に合わせたウォールキャビネットの切除作業を行った場合、ウォールキャビネットを支持している横桟の内、上端側の横桟を切り離すことになる。したがって、この状態ではウォールキャビネットを壁面に強固に固定することができないため、新たに横桟を追加する必要がある。
【０００６】
なお、リフォームの場合、事前に現場の梁の構造を把握することが難しく、梁に対してねじでウォールキャビネットを固定しようとした場合に、ウォールキャビネットを梁に強固に固定できない可能性があるため、壁面に固定できるよう、新たな横桟は切除部よりも下方かつ可能な限り上方に配置することが望ましい。
【０００７】
ここで、すでに組み上げられているウォールキャビネットの左右の側板に対して横桟を接続するためには、側板の外側から横桟までネジをねじ込んで連結する方法が考えられる。しかし、ネジをねじ込むのは背板よりも後方側の側板、すなわち側板の後方側端部ぎりぎりのところであるため、側板を破損させてしまう恐れがある。
【０００８】
本発明は、上記課題を解決するためになされたものであり、標準のウォールキャビネットを用いながら、ウォールキャビネットの側板等を破損させることなく壁面に強固に固定可能な、建築躯体の梁を避けて高い位置に設置できる梁対応型のウォールキャビネットへの変更方法を提供することを目的とする。
【課題を解決するための手段】
【０００９】
上記課題を解決するために、本発明に係る標準のウォールキャビネットを梁対応型のウォールキャビネットに変更する方法は、左側板、右側板、底板、天板、および背板を有し、前記背板よりも背後において前記左側板と右側板とにダボ組みされてなる２本の横桟を上下方向に離して配設した標準のウォールキャビネットに対し、前記左側板、右側板、天板、背板の一部および上方側の前記横桟を切除して、前記標準のウォールキャビネットの背後側上部に建築躯体の梁が収まる空間を形成する工程を実行した後に、前記切除により形成されたウォールキャビネットの切除面を覆うカバーを前記ウォールキャビネットに取付けるカバー取付工程と、前記ウォールキャビネットを建築躯体の壁面にネジ固定する際のネジ止めのベースとなる支持具を、前記背板と前記左側板、右側板、もしくはカバーとによって形成されるコーナー部に配置すると共に、前記支持具を前記ウォールキャビネットの左右の端部において、前記左側板および右側板あるいは前記カバーの前記背板よりも前方側に固定する支持具固定工程と、前記背板の背後かつ前記支持具の奥方向に、前記建築躯体の壁面と前記背板との隙間を埋めるスペーサーを設けるスペーサー配設工程と、を実行する。
【００１０】
本発明に係る標準のウォールキャビネットを梁対応型のウォールキャビネットに変更する方法においては、ウォールキャビネットを建築躯体の壁面にネジ固定する際のネジ止めのベースとなる支持具は、ウォールキャビネットの左右の端部において、左側板および右側板あるいはカバーの、背板よりも前方側に固定される。したがって、梁のある現場で標準のウォールキャビネットを切除した後、支持具を新たに取り付ける際に、左右の側板やカバーの後方側端部から離れた位置に支持具を固定することができる。したがって、標準のウォールキャビネットを、建築躯体の梁を避けて高い位置に設置できる梁対応型のウォールキャビネットに変更する場合に、ウォールキャビネットの側板等が破損することを防止できる。また、支持具は、ウォールキャビネットの剛性を確保するため、背板よりも比較的強度の高い板が用いられる左右の側板あるいは切除面を覆うカバーに固定される。したがって、梁対応型へと変更されたウォールキャビネットは、このように比較的強度の高い板に固定された支持具や下方側の横桟を介して壁面に固定することができるため、ウォールキャビネットを強固に壁面に固定することができるようになる。
【００１１】
したがって、本発明の標準のウォールキャビネットを梁対応型のウォールキャビネットに変更する方法によれば、梁のない現場においては標準のウォールキャビネットをそのまま使用でき、一方、標準のウォールキャビネットを現場に納品した後に建築躯体に梁があることが判明した場合であっても、別途梁対応型のウォールキャビネットを納品し直す必要がなく、さらに、ウォールキャビネットの側板等を破損させることなく、壁面に強固に固定可能な梁対応型のウォールキャビネットへ変更することができる。
【００１２】
また、本発明に係る標準のウォールキャビネットを梁対応型のウォールキャビネットに変更する方法では、前記スペーサーは、前記ウォールキャビネットに対して、接着剤もしくは両面テープによって仮固定されることも好ましい。
【００１３】
この好ましい態様では、梁対応型に変更したウォールキャビネットを、建築躯体の壁面にネジ固定する際、ネジは支持具の奥方向に設けられたスペーサーを貫通するため、スペーサーはこのネジによりウォールキャビネットに固定されることとなる。したがって、ウォールキャビネットの壁面への固定前に、スペーサーをウォールキャビネットへと強固に固定する必要ない。したがって、本発明のように、標準のウォールキャビネットを梁対応型へと変更する際、ウォールキャビネットに対してスペーサーを接着材もしくは両面テープという固定力は小さいものの、固定作業が容易な手段によって仮固定するようにすることで、標準のウォールキャビネットを梁対応型のウォールキャビネットへと変更する際の作業負荷を軽減することができる。
【００１４】
また、本発明に係る標準のウォールキャビネットを梁対応型のウォールキャビネットに変更する方法では、前記カバー取付工程を、前記支持具固定工程よりも先に実行することも好ましい。
【００１５】
この好ましい態様では、ウォールキャビネットの切断面を覆うカバーは、見ための観点から、カバーとウォールキャビネットとの間に隙間ができないよう、ウォールキャビネットの所望の位置に取り付けられることが望ましい。本発明では、カバー取付工程を支持具固定工程よりも先に実行するため、カバーを所望の位置に配置しようとした際に、作業者によって取付位置のばらつきが生じやすい支持具がカバーと干渉してカバーを所望の位置に取り付けることができなくなってしまうことを防止できる。したがって、標準のウォールキャビネットを、作業の手戻りなく梁対応型のウォールキャビネットへ変更することができる。
【００１６】
また、本発明に係る標準のウォールキャビネットを梁対応型のウォールキャビネットに変更する方法では、前記支持具には、ウォールキャビネットを建築躯体の壁面にネジ固定するためのネジを挿入する挿入孔が設けられており、前記支持具固定工程の実行後、前記背板の前記挿入孔の中心軸線と交わる部分に前記ネジを通過させるネジ通過孔をあけ、前記ネジ通過孔を覆うようにして前記背板の裏側に前記スペーサーを設けるようにして前記スペーサー配設工程を実行することも好ましい。
【００１７】
この好ましい態様では、背板において、ウォールキャビネットに固定されている支持具の挿入孔の中心軸線と交わる部分にネジ通過孔をあけることで、このネジ通過孔を目印として、背板裏側の空間におけるネジの通過位置を把握することができる。したがって、標準のウォールキャビネットを梁対応型のウォールキャビネットへ変更する際に、確実にスペーサーをネジが通過する位置に設けることができるため、より確実にウォールキャビネットを壁面に強固に固定することが可能になる。
【発明の効果】
【００１８】
本発明の標準のウォールキャビネットを梁対応型のウォールキャビネットに変更する方法によれば、標準のウォールキャビネットを用いながら、ウォールキャビネットの側板等を破損させることなく壁面に強固に固定可能な、建築躯体の梁を避けて高い位置に設置できる梁対応型のウォールキャビネットへ変更することができる。
【図面の簡単な説明】
【００１９】
【図１】本発明の実施形態に係る標準のウォールキャビネットの斜視図。
【図２】図１に示した標準のウォールキャビネットの背側上部切除後の斜視図。
【図３】２つの塞ぎ板を接続する方法を示す図。
【図４】２つの塞ぎ板を接続する方法を示す図。
【図５】標準のウォールキャビネットに受け木が固定された状態を示す斜視図。
【図６】カバーを取り付ける際の様子を示す標準のウォールキャビネット３の斜視図。
【図７】カバーが取付けられた状態の標準のウォールキャビネットを示す斜視図。
【図８】Ｌ字状アングルの固定位置を模式的に示す側面図。
【図９】Ｌ字状アングルの固定手順を示す斜視図。
【図１０】塞ぎ板を表示していない状態の標準のウォールキャビネットの後方側の上面図である
【図１１】横桟をウォールキャビネットに仮固定する様子を示す斜視図。
【図１２】梁対応型に変更したウォールキャビネットを壁面に固定した状態を示す側断面図。
【図１３】壁面に固定した状態の梁対応型ウォールキャビネットのＬ字状アングルの固定状態を示す平面視の断面図。
【図１４】標準のウォールキャビネットを壁面に固定した状態を示す側面図。
【００２０】
以下、添付図面を参照しながら本発明の実施の形態について説明する。説明の理解を容易にするため、各図面において同一の構成要素に対しては可能な限り同一の符号を付して、重複する説明は省略する。
【００２１】
図１は、従来から知られている標準のウォールキャビネット３を背面側から見た斜視図である。ここで、「標準のウォールキャビネット」とは、梁のない建築躯体に取り付けられるウォールキャビネットのことを指す。
【００２２】
標準のウォールキャビネット３は、キッチン用のウォールキャビネットであり、周知の構造を有するものである。具体的には、左側板５、右側板７、天板９、底板１１を備えており、これらの板は、それぞれ図示しないダボによって接続されている。背板１３は、左側板５、右側板７、天板９、底板１１のそれぞれの内面に形成されている溝１４に嵌め込まれることによってウォールキャビネット３の背側に配置されている。なお、標準のウォールキャビネット３を構成する板は全て、合板、パーチクルボード、ＭＤＦ等の木質材料でからなるものである。左側板５、右側板７、天板９、底板１１は標準のウォールキャビネット３の剛性を確保するために、高い強度を有するよう板の厚みが比較的厚く、一方、背板１３の厚みはそれらの板よりも薄い。
【００２３】
図示はしていないが、標準のウォールキャビネット３の前方側は標準のウォールキャビネット３内部の収納空間に連通する開口が形成されている。背板の裏側には２つの横桟１５、１７が配置されており、横桟１５および横桟１７はそれぞれ上下方向に離して配置されると共に、図示しないダボによって左右の側板５、７を接続（ダボ組）するように構成されている。
【００２４】
標準のウォールキャビネット３は、通常、梁のない建築躯体に取り付けられるものであり、横桟１５、１７を介して建築躯体の壁面にネジ固定される。図１４は標準のウォールキャビネット３を壁面Ｗに固定した状態を示す側面図であり、このように壁面Ｗに固定された状態では、壁面Ｗにねじ４３で固定されている横桟１５、１７によって、ウォールキャビネット３は支持される。
【００２５】
標準のウォールキャビネット３は通常は梁のない建築躯体に取り付けられるものであるが、システムキッチンでは、リフォームによってウォールキャビネットを取り換える際に、取り換え前のウォールキャビネットやキッチンフードの存在によって、梁の有無を把握できない場合があり、梁があるにも拘わらす誤って標準のウォールキャビネット３を購入してしまうといった問題が生じている。標準のウォールキャビネット３を梁のある建築躯体に取付ける場合、梁よりも下方に標準のウォールキャビネット３を配置せざるを得ず、キッチンの作業空間や調理空間が非常狭くなってしまうため、標準のウォールキャビネット３を取り付けられない。しかし、誤って標準のウォールキャビネット３が購入され、現場に納品された場合であっても、本発明に係る梁対応型のウォールキャビネットへの変更方法によって、標準のウォールキャビネット３を、壁面の高い位置に取付可能な、梁対応型のウォールキャビネットに変更することができる。同変更方法を以下説明する。
【００２６】
まず、標準のウォールキャビネット３に建築躯体の梁Ｈが収まる空間を形成するために、梁Ｈの大きさに合わせて、標準のウォールキャビネット３の背側上部を切除する。図１の標準のウォールキャビネット３に記載されている一点鎖線は、切除される部分を示すものである。
【００２７】
図２は、切除後の標準のウォールキャビネット３（キャビネット本体４）の斜視図である。この切除によって、左側板５、右側板７、天板９、および背板１３の一部が切除された状態となり、切除部Ｋが形成される。切除後、標準のウォールキャビネット３の切除面を塞ぐカバー２３を作成する。具体的には、鉛直方向に延びる切除面と水平方向に延びる切除面を塞ぐための板を、切除面の大きさに合わせて、大きな板からそれぞれ切り取り、切り取った板同士を接続することカバー２３を作成する。
【００２８】
図３および図４は、水平方向に延びる切除面を塞ぐ塞ぎ板９ｂ（後方側天板）と鉛直方向に延びる切除面を塞ぐ塞ぎ板１３ａ（上方側背板）の接続方法を示す図である。図３に示すように、２枚の塞ぎ板９ｂ、１３ａは、まずダボ２１によって接続される。具体的には塞ぎ板９ｂに取り付けられたダボ２１を塞ぎ板１３ａに穿設されたダボ穴１９に嵌め込むことにより接続される。
【００２９】
続いて、図４に示すように、これらの塞ぎ板９ｂ、１３ａをくの字状のアングル２５でより強固に連結して、カバー２３を作成する。
【００３０】
次に、図５に示すように、このようにして作成したカバー２３を標準のウォールキャビネット３に取り付けられるようにするために、標準のウォールキャビネット３の左側板５、右側板７のそれぞれの内面に受け木２７を固定する。受け木２７は直方体状に形成されており、図５に示すように、左側板５、右側板７のそれぞれに前後に２つ並べて配置する。
【００３１】
続いて、カバー２３を標準のウォールキャビネット３に取り付ける。図６はカバー２３を取り付ける際の様子を示す斜視図であり、図７はカバー２３が取付られた状態の標準のウォールキャビネット３を示す斜視図である。
【００３２】
図６に示すように、カバー２３は標準のウォールキャビネット３の前方側の開口から挿入される。そして、挿入されたカバー２３をカバー２３と標準のウォールキャビネット３との間に隙間ができない所定の位置に配置し、塞ぎ板９ｂを４つの受け木２７に下から押し当てながら、それぞれの受け木２７の上面２７ａからカバー用ネジ２９ａをねじ込むことにより、カバー２３をネジ固定する。加えて、切除後の天板９ａ（前方側天板）の上面から、塞ぎ板１３ａにカバー用ネジ２９ｂをねじ込んで、カバー２３を標準のウォールキャビネット３に取り付ける。
【００３３】
続いて、標準のウォールキャビネット３を建築躯体の壁面にネジ固定する際のネジ止めのベースとなる支持具であるＬ字状アングル３１（屈曲部材）を標準のウォールキャビネット３に固定する。図８は、Ｌ字状アングル３１の固定位置を模式的に示した側面図である。
【００３４】
Ｌ字状アングル３１は、標準のウォールキャビネット３内の左右に一つずつ固定されるものであり、一方は、図８に示すように、背板１３ｂおよび右側板７によって形成されるコーナー部Ｃに沿うように配置および固定される。他方は、背板１３ｂおよび左側板５によって形成されるコーナー部に沿うように配置および固定される。
【００３５】
このＬ字状アングル３１の固定方法についてより詳しく説明する。図９は、このＬ字状アングル３１の固定手順を示す斜視図である。なお、図９は、便宜上、塞ぎ板９ｂや背板１３ｂ等は表示していない図である。
【００３６】
Ｌ字状アングル３１には全部で４つのネジ挿入孔３１ａ、３１ｂが穿設されており、Ｌ字状アングル３１の側板に沿う部分である側板側部３１１と、背板１３ｂに沿う部分である背板側部３１２のそれぞれに２つずつ穿設されている。まず、図９（Ａ）に示すように、Ｌ字状アングル３１を固定する右側板７に、側板側部３１１の２つのネジ挿入孔３１ａに対応する位置に、鬼目ナット３３をネジ込む鬼目ナット挿入用穴３５をあけ、この鬼目ナット挿入用穴３５に鬼目ナット３３をねじ込み、鬼目ナット３３を右側板７に埋没固定する。次に、図９（Ｂ）に示すように、鬼目ナット３３と２つのネジ挿入孔３１ａが合う位置にＬ字状アングル３１を配置し、Ｌ字状アングル３１をネジ３７で右側板７に対してねじ固定する。このようにして、Ｌ字状アングル３１は右側板に固定される。なお、左側板５へのＬ字状アングル３１の固定も同様の方法で行われる。
【００３７】
図１０は、塞ぎ板９ｂを表示していない状態の標準のウォールキャビネット３の後方側の上面図である。Ｌ字状アングル３１の左側板５および右側板７への固定が完了したら、左右に固定したＬ字状アングル３１の背板側部３１２に穿設された全てのネジ挿入孔３１ｂに、収納空間側からドリルを挿入し、図１０に示すように、背板側部３１２の後方側に隣接する背板１３ｂに壁面固定用ネジ挿入孔３９（ネジ通過孔）を穿設する。（背板１３ｂのネジ挿入孔３１ｂの中心軸線と交わる部分に壁面固定用ネジ挿入孔３９を穿設する）
【００３８】
そして、図１１に示すように、これら全ての壁面固定用ネジ挿入孔３９を覆う位置で両面テープにより横桟４１を背板１３ｂに仮固定する。これにより、標準のウォールキャビネット３の梁対応型のウォールキャビネットへの変更作業が完了する。
【００３９】
図１２は、このようにして梁対応型に変更したウォールキャビネット３を壁面に固定した状態を示す側断面図である。梁対応型ウォールキャビネット３は、その背側上部が切除されているため、梁Ｈと干渉することなく、高い位置で壁面Ｗに固定される。なお、壁面Ｗへの固定は、ネジ４３を、収納空間側からをＬ字状アングル３１のネジ挿入孔３１ｂに挿入し、背板１３ｂおよび横桟４１を貫通させて、壁面にねじ固定される。
【００４０】
図１３は、壁面Ｗに固定した状態の梁対応型ウォールキャビネット３のＬ字状アングル３１の固定状態を示す平面視の断面図である。図１３に示すように、本実施形態において、鬼目ナット３３の外形は、Ｌ字状アングル３１の側板側部３１１のネジ挿入孔３１ａの径よりも大きいため、摩耗等によって鬼目ナット３３の左側板５や右側板７への固定が緩み、側板固定用ネジ３７が左側板５や右側板７から抜け落ちる方向に移動しようとしても、この側板固定用ネジ３７と螺合している鬼目ナット３３が、壁面Ｗに固定されているＬ字状アングル３１に当接し、側板固定用ネジ３７が抜け落ちることがなく、長期に亘って安定的に、梁対応型のウォールキャビネット３を支持することができる。
【符号の説明】
【００４１】
３：ウォールキャビネット
４：キャビネット本体
５：左側板
７：右側板
９：天板
９ａ：（前方側）天板
９ｂ：塞ぎ板
１１：底板
１３：背板
１３ａ：塞ぎ板
１３ｂ：（下方側）背板
１４：溝
１５：横桟
１７：横桟
１９：ダボ穴
２１：ダボ
２３：カバー
２５：アングル
２７：受け木
２７ａ：上面
２９ａ：カバー用ネジ
２９ｂ：カバー用ネジ
３１：Ｌ字状アングル（支持具）
３１ａ：側板固定用ネジ挿入孔
３１ｂ：壁面固定用ネジ挿入孔（挿入孔）
３１１：側板側部
３１２：背板側部
３３：鬼目ナット
３５：鬼目ナット挿入用穴
３７：側板固定用ネジ
３９：壁面固定用ネジ挿入孔
４１：横桟（スペーサー）
４３：壁固定用ネジ
Ｃ：コーナー部
Ｈ：梁
Ｋ：切除部
Ｗ：壁面（取付壁面）
【図１】
2016050396.tif 000003
【図２】
2016050396.tif 000004
【図３】
2016050396.tif 000005
【図４】
2016050396.tif 000006
【図５】
2016050396.tif 000007
【図６】
2016050396.tif 000008
【図７】
2016050396.tif 000009
【図８】
2016050396.tif 000010
【図９】
2016050396.tif 000011
【図１０】
2016050396.tif 000012
【図１１】
2016050396.tif 000013
【図１２】
2016050396.tif 000014
【図１３】
2016050396.tif 000015
【図１４】
2016050396.tif 000016